(57)【特許請求の範囲】
【請求項１】
ファンに接続した主風路に複数の対象室を分岐風路を介して並列に接続し、これら分岐風路の夫々に風量調整ダンパを設け、
前記分岐風路夫々の検出通風量に基づき、これら分岐風路の通風量が各々の設定通風量になるように前記風量調整ダンパを開度調整する、又は、前記対象室夫々の検出室圧に基づき、これら対象室の室圧が各々の設定室圧になるように前記風量調整ダンパを開度調整するダンパ制御手段と、
前記風量調整ダンパ夫々の検出開度に基づき、これら風量調整ダンパの開度が全て、上下限値ともに中間開度値に設定してある目標中間開度範囲の範囲内になるように、前記ファンを出力調整するファン制御手段とを設ける空調システムであって、
前記目標中間開度範囲の範囲幅修正として、前記検出開度のうち最大のものと最小のものとの差が小さくなるほど、前記目標中間開度範囲の上限値と下限値との両方を所定比率で範囲縮小側に修正し、かつ、前記検出開度のうち最大のものと最小のものとの差が大きくなるほど、前記目標中間開度範囲の上限値と下限値との両方を所定比率で範囲拡大側に修正する目標範囲修正手段を設けてある空調システム。
【請求項２】
前記目標範囲修正手段による範囲修正において、前記目標中間開度範囲の上限値に対する大開度側修正限界の中間開度値と、前記目標中間開度範囲の下限値に対する小開度側修正限界の中間開度値とを規定してある請求項１記載の空調システム。
【請求項３】
前記ファン制御手段を、
前記検出開度のうち最大のものが前記目標中間開度範囲を大開度側に逸脱しているとき前記ファンを出力上昇させ、
前記検出開度のうち最大のものが前記目標中間開度範囲の範囲内にある状態で、それら検出開度のうち最小のものが前記目標中間開度範囲を小開度側に逸脱しているとき前記ファンを出力低下させ、
前記検出開度の全てが前記目標中間開度範囲の範囲内にあるとき前記ファンをその時の出力に維持する構成にしてある請求項２記載の空調システム。
【請求項４】
前記目標範囲修正手段を、前記の範囲幅修正に加えて、
前記検出開度の平均値が設定目標平均値よりも小さくなると前記目標中間開度範囲を大開度側に範囲移行修正し、かつ、前記検出開度の平均値が設定目標平均値よりも大きくなると前記目標中間開度範囲を小開度側に範囲移行修正する構成にしてある請求項１〜３のいずれか１項に記載の空調システム。
【発明の詳細な説明】
【０００１】
【発明の属する技術分野】
本発明は空調システムに関し、詳しくは、ファンに接続した主風路に複数の対象室を分岐風路を介して並列に接続し、これら分岐風路の夫々に風量調整ダンパを設け、分岐風路夫々の検出通風量に基づき、これら分岐風路の通風量が各々の設定通風量になるように風量調整ダンパを開度調整する、又は、対象室夫々の検出室圧に基づき、これら対象室の室圧が各々の設定室圧になるように風量調整ダンパを開度調整するダンパ制御手段と、風量調整ダンパ夫々の検出開度に基づき、これら風量調整ダンパの開度が全て、上下限値ともに中間開度値に設定してある目標中間開度範囲の範囲内になるようにファンを出力調整するファン制御手段とを設ける空調システムに関する。
【０００２】
【従来の技術】
この種の空調システムについては、特開平１−３３４４７号（特公平８−２７０４３号）を先に提案したが、従来、この種の空調システムでは、目標中間開度範囲の設定変更（具体的には上下限値の設定変更）を可能にしているものの、設定した目標中間開度範囲は、通風量調整上又は室圧調整上の各風量調整ダンパの開度変化に関わり無く固定化していた。
【０００３】
【発明が解決しようとする課題】
ところで、この種の空調システムは、分岐風路の通風量が各々の設定通風量になるように、又は、対象室の室圧が各々の設定室圧になるように、分岐風路夫々の風量調整ダンパが開度調整されるのに対し、これら風量調整ダンパの開度（同一時点における各ダンパの開度）が全て、上下限値ともに中間開度値に設定してある目標中間開度範囲の範囲内になるように、主風路に接続のファンを出力調整することから、別形式として、例えば、特公平２−１３２１７号公報に見られるように、風量調整ダンパのいずれもが最大流路断面積の一歩手前の開度に至らないときファンを出力低下させ、かつ、風量調整ダンパのいずれか一つが最大流路断面積の開度（すなわち全開）になるとファンを出力上昇させる形式（つまり、風量調整ダンパのうち最大開度のものが、最大流路断面積の一歩手前の開度を範囲下限とし、かつ、最大流路断面積の開度（全開）を範囲上限とする全開上限の所定開度範囲内になるようにファンを出力調整する形式）に比べ、基本的に次の（イ），（ロ）の利点を有する。
【０００４】
（イ）上記の別形式のものでは、風量調整ダンパのうち最大開度のものが全開（最大流路断面積）に至らない限りファンが出力上昇側に調整されず、風量調整ダンパの夫々について全開の極近くに偏ったままの状態が許される為、一般に全開寄りでは開度変化に対する風量変化率が小さくなって風量調整や圧力調整の調整感度が低下し、一方、全閉寄りでは開度変化に対する風量変化率が大きくなって風量調整や圧力調整の安定性が低下する周知のダンパ特性上、風量調整ダンパ（特に最大開度のもの）の風量・圧力調整作用が感度面で平均的にかなり悪い状態の運転になる。
【０００５】
また特に、通風量や室圧の調整上で風量調整ダンパをさらに開度増大させる要求があることに対し、全開近くに偏ったままの状態にある風量調整ダンパ（特に最大開度のもの）の全開までの残りの開度幅に余裕が無くてダンパ開度の調整では対応しきれず、結果的に全開後のファンの出力上昇を待つしかない状況になって要求に即応できない場合が多く生じ、この為に、通風量や室圧が何らかの原因で目標の設定値から外れた状態になるのに対し、その状態の解消にかなりの時間を要する場合が多く見られる。
【０００６】
これに対し、風量調整ダンパの開度が全て、上下限値ともに中間開度値に設定してある目標中間開度範囲の範囲内になるようにファンを出力調整する形式を採れば、風量調整ダンパ（特に最大開度のもの）が目標中間開度範囲の上限値（中間開度値）を開き側に越えて全開近くに偏ったままの状態になるのを防止できて、ダンパ特性上、風量調整ダンパの風量・圧力調整作用を感度面で良好に保った運転を維持でき、殊に、通風量や室圧の調整上で風量調整ダンパ（特に最大開度のもの）をさらに開度増大させる要求がある場合、目標中間開度範囲の上限値と全開との間を一時的な開度超過を許す余裕開度域として、その要求に対し、ダンパ開度の調整で余裕をもって即応することができ、これらの点で、分岐風路の通風量を各々の設定通風量に調整する、又は、対象室の室圧を各々の設定室圧に調整することの調整性能を大きく向上できる。
【０００７】
（ロ）前記の別形式のものでは、通風量や室圧の調整上で風量調整ダンパのうち最大開度以外のもの（その一部ないし全部）が閉じ側に大きく偏ったとき、この閉じ側への大きな偏りにもかかわらず、最大開度のものが範囲下限の近傍で一応は前記の所定開度範囲内にある為に、ファンの出力低下側への調整が実施されず、その閉じ側への大きな偏りがそのままに放置される場合があり、この為、ダンパ特性上で風量調整ダンパのうち最大開度以外のものの風量・圧力調整作用が安定性の面で大きく悪化した運転になることがある。
【０００８】
これに対し、風量調整ダンパの開度が全て、上下限値ともに中間開度値に設定してある目標中間開度範囲の範囲内になるようにファンを出力調整する形式を採れば、最大開度以外のものが閉じ側へ大きく偏ることを含め、風量調整ダンパのうち最小開度のものが目標中間開度範囲の下限値（中間開度値）を閉じ側に越えた状態で、風量調整ダンパが閉じ側に大きく偏ったままの状態になるのを防止できて、ダンパ特性上、風量調整ダンパの風量・圧力調整作用を安定性の面でも良好に保った運転を維持でき、この点で、分岐風路の通風量を各々の設定通風量に調整する、又は、対象室の室圧を各々の設定室圧に調整することの調整性能を一層向上できる。また、このように風量調整ダンパの閉じ側への大きな偏りを防止することで、ダンパでの圧力損失の大きい状態でファンを運転することによる動力浪費も併せ一層効果的に防止できて、ファン消費動力を一層節減できる。
【０００９】
しかし、この形式では、上記の利点を有するものの、通風量や室圧の調整上で各風量調整ダンパの開度が変化することにおいては、それら開度のバラツキ具合が変化することがある為（特に、分岐風路の設定通風量の変更や、対象室の設定室圧の変更、あるいはまた、分岐風路に配したフィルタの通風抵抗変化などが原因）、そのバラツキ具合によっては、目標中間開度範囲の範囲幅が風量調整ダンパの開度のうちの最大のものと最小のものとの差に比べ必要以上に大きくなって、最大のものと範囲上限値との間の不感開度幅や、最小のものと範囲下限値との間の不感開度幅が過大になり、この為に、風量調整ダンパの開度変化に対しファンの出力調整をもってダンパ開度を修正する機能の応答性が低下した運転状況になって、全ての風量調整ダンパが目標中間開度範囲の範囲内にはあるものの、それら風量調整ダンパの開度が全体的に範囲上限側に偏ったままの状態になったり、逆に範囲下限側に偏ったままの状態になることがあり、この点、風量調整ダンパの風量・圧力調整作用を全体として極力良好に保った状態で、それら風量調整ダンパを通風量調整機能または室圧調整機能させることにおいて、未だ改善の余地があった。
【００１０】
また、バラツキ具合によっては、逆に、目標中間開度範囲の範囲幅が風量調整ダンパの開度のうちの最大のものと最小のものとの差に比べ小さくなって、全ての開度を目標中間開度範囲の範囲内に収め得ない状態になり、この為に、全ての開度が目標中間開度範囲の範囲内になるようにファンを出力調整することにおいて、その調整動作が不安定になり、ひいては、風量調整ダンパによる通風量調整や室圧調整を含むシステム全体の運転が不安定化する場合が見られ、この点からも未だ改善の余地があった。
【００１１】
以上の実情に対し、本発明の主たる課題は、分岐風路の夫々に設けた風量調整ダンパの開度が全て目標中間開度範囲の範囲内になるように、主風路に接続のファンを出力調整する形式において、さらに合理的な制御形態を採ることで、これら風量調整ダンパを全体として一層、風量・圧力調整作用の良好な状態でかつ安定的に通風量調整機能ないし室圧調整機能させる点にある。
【００１２】
【課題を解決するための手段】
〔１〕請求項１記載の発明では、複数の対象室に対する分岐風路の夫々に設けた風量調整ダンパの検出開度に基づき、これら風量調整ダンパの開度が全て、上下限値ともに中間開度値に設定してある目標中間開度範囲の範囲内になるように、主風路に接続のファンを出力調整する運転において、風量調整ダンパの開度調整による通風量調整や室圧調整上で、これら風量調整ダンパの開度のバラツキ具合が変化することに対し、範囲幅修正として、検出開度のうち最大のものと最小のものとの差が小さくなるほど、目標中間開度範囲の上限値と下限値との両方を所定比率で範囲縮小側に修正する。また、検出開度のうち最大のものと最小のものとの差が大きくなるほど、目標中間開度範囲の上限値と下限値との両方を所定比率で範囲拡大側に修正する。
【００１３】
そして、このことにより、バラツキ具合の変化による最大最小開度差の変化にかかわらず、目標中間開度範囲の範囲幅として、全ての開度を収めることが可能で、かつ、開度のうちの最大のものと範囲上限値との間の不感開度幅や、開度のうちの最小のものと範囲下限値との間の不感開度幅（これら不感開度幅はファンの出力調整頻度が過大になるのを防止して運転を安定化するのに必要）が適度になる適切な範囲幅を維持できるようにする。
【００１４】
すなわち、このように範囲幅を修正することにより、設定後の目標中間開度範囲を固定化する従来システムでは、最大最小開度差に対し目標中間開度範囲の範囲幅が必要以上に大きくなって、風量調整ダンパの開度が全て範囲内にあるものの全体的に範囲上限側や範囲下限側に偏ったままの状態になることがあったのに対し、同様の状況において、そのような開度の偏りを修正し、風量調整ダンパを全体として風量・圧力調整作用のより良好な状態で通風量調整機能ないし室圧調整機能させることができる。
【００１５】
また、従来システムでは、開度の全てを目標中間開度範囲の範囲内に収め得ない状況になってファンの出力調整が不安定になることがあったのに対し、このような状況を回避してファンの出力調整を安定化し、これをもって、風量調整ダンパの開度調整による通風量調整や室圧調整を含むシステム全体の運転を安定化することができる。
【００１６】
これらのことから、請求項１記載の発明によれば、従来システムに比べ、風量調整ダンパを全体として一層、風量・圧力調整作用の良好な状態で、かつ、安定的に通風量調整機能ないし室圧調整機能させることができ、これにより、分岐風路の通風量を各々の設定通風量に調整する、又は、対象室の室圧を各々の設定室圧に調整する調整性能を一層向上させることができる。
【００１７】
また、風量調整ダンパが全て目標中間開度範囲の範囲内にあるものの全体として閉じ側に偏ったままの状態になるのを防止できることで、ファン消費動力も一層効果的に節減できる。
【００１８】
しかも、分岐風路の設定通風量の変更や対象室の設定室圧の変更、あるいはまた、分岐風路に配したフィルタの通風抵抗変化など種々の要因で、ダンパ開度のバラツキ具合に変化を来すとき、その度に、目標中間開度範囲の再設定操作をもってその範囲幅を適当幅に調整するといった煩雑な操作も不要になり、システム管理も大巾に容易になる。
【００１９】
なお、風量調整ダンパを強制的に全閉にしたり、別途の遮断ダンパを閉じる等で、分岐風路のうち一部のものにおける通風を停止することがある場合には、その通風を停止した分岐風路における風量調整ダンパの開度は、目標中間開度範囲の範囲内にあるか否かの判定対象、及び、最大最小開度差の演算対象から除外し、これにより、通風を停止した分岐風路の影響を受けることなく、残りの分岐風路ついての通風量調整や残りの分岐風路に接続の対象室についての室圧調整において、風量調整ダンパの開度に応じたファンの出力調整及び最大最小開度差に応じた目標中間開度範囲の範囲幅修正を適切に行えるようにする。
【００２０】
上記の範囲幅修正において、目標中間開度範囲の上限値と下限値との両方を所定比率で範囲縮小側や範囲拡大側に修正するのに、上限値と下限値との修正比率は同率にしてもよく、また、互いに異なる比率にしてもよく、その修正比率には運転条件等に応じ種々の値を採用できるが、通風量調整や室圧調整上での開度増大要求に対しダンパ開度の調整で即応しきれなくなる事態を一層確実に防止するには、上限値の修正比率の方を下限値の修正比率よりも小さくすることが望ましい。
【００２１】
〔２〕請求項２記載の発明では、前記の範囲幅修正において、目標中間開度範囲の上限値に対する大開度側修正限界の中間開度値と、下限値に対する小開度側修正限界の中間開度値との夫々を規定するから、その範囲幅修正において、全開ないし全開に近い開度を範囲上限とする状態にまで無制限に範囲幅が修正されることで、却って、風量調整ダンパ（特に最大開度のもの）が全開近くに偏った状態が許される可能性が生じてしまうことを防止でき、これにより、風量調整ダンパ（特に最大開度のもの）の風量・圧力調整作用が感度面で一定限度以上に大きく悪化した状態の運転になること、及び、通風量調整や室圧調整上での開度増大要求に対しダンパ開度の調整で即応できなくなることを一層確実に防止することができる。
【００２２】
また同様に、範囲幅修正において、全閉や全閉に近い開度を範囲下限とする状態にまで無制限に範囲幅が修正されることで、却って、風量調整ダンパ（特に最小開度のもの）が閉じ側に大きく偏った状態が許される可能性が生じてしまうことも防止でき、これにより、風量調整ダンパ（特に最小開度のもの）の風量・圧力調整作用が安定性の面で一定限度以上に大きく悪化した状態の運転になること、及び、風量調整ダンパでの圧力損失が大きくなってファン動力の浪費が大きくなることを一層確実に防止できる。
【００２３】
つまり、請求項２記載の発明によれば、風量調整ダンパの最大最小開度差に応じて目標中間開度範囲の範囲幅を修正する形態を採りながらも、基本的には、風量調整ダンパの開度が全て、上下限値ともに中間開度値に設定してある目標中間開度範囲の範囲内になるようにファンを出力調整する形式の先述（イ），（ロ）の利点を確実に維持することができ、分岐風路の通風量を各々の設定通風量に調整する、又は、対象室の室圧を各々の設定室圧に調整することの調整性能の向上、及び、ファン消費動力の節減を一層確実なものにすることができる。
【００２４】
〔３〕請求項３記載の発明では、風量調整ダンパの開度が全て目標中間開度範囲の範囲内になるようにファンを出力調整することの具体的調整形態として、検出開度のうち最大のものが目標中間開度範囲を大開度側に逸脱（すなわち、風量調整ダンパのうち最大開度のものが目標中間開度範囲を開き側に逸脱）しているときファンを出力上昇させ、このファン出力の上昇に対し、通風量や室圧の調整上で風量調整ダンパを全体として閉じ側に開度調整させることにより、風量調整ダンパのうち最大開度のものを目標中間開度範囲の範囲内に復帰させる。
【００２５】
そして、この場合、検出開度のうち最小のものが目標中間開度範囲を小開度側に逸脱しているか否かにかかわらず、上記の如く、検出開度のうち最大のものが目標中間開度範囲を大開度側に逸脱していることのみを条件として、ファンを出力上昇させることにより、風量調整ダンパのうち最小開度のものを目標中間開度範囲の範囲内に収めることよりも、最大開度のものを目標中間開度範囲の範囲内に収めることを優先する調整形態とする。
【００２６】
他方、検出開度のうち最大のものが目標中間開度範囲の範囲内にある状態で、それら検出開度のうち最小のものが目標中間開度範囲を小開度側に逸脱（すなわち、風量調整ダンパのうち最小開度のものが目標中間開度範囲を閉じ側に逸脱）しているときはファンを出力低下させ、このファン出力の低下に対し、通風量や室圧の調整上で風量調整ダンパを全体として開き側に開度調整させることにより、風量調整ダンパのうち最小開度のものを目標中間開度範囲の範囲内に復帰させる。
【００２７】
また、検出開度の全てが目標中間開度範囲の範囲内にあるときは、ファンをその時の出力に維持することで、風量調整ダンパの開度が全て目標中間開度範囲の範囲内にある現状を保つようにする。
【００２８】
つまり、前記の範囲幅修正を実施する場合、最大最小開度差の変化に対し目標中間開度範囲の範囲幅を適切な幅に維持できることから、通常は、ファンの出力調整において上記の如き最大開度優先のファン出力調整、すなわち、風量調整ダンパのうち最小開度のものを目標中間開度範囲の範囲内に収めるよりも、最大開度のものを目標中間開度範囲の範囲内に収めることを優先するファン出力調整が特に必要になることはないが、範囲幅修正や後述の範囲移行修正で範囲上限値が前記の大開度側修正限界に至って、範囲拡大側への範囲幅修正が制限されるに至った際に、全ての開度を目標中間開度範囲の範囲内に収め得なくなる可能性が生じることに対し、上記の如き最大開度優先のファン出力調整形態を採っておくことにより、通風量調整上や室圧調整上で最も回避するべき事態、すなわち、風量調整ダンパ（特に最大開度のもの）が全開近くに偏った状態になって、通風量調整や室圧調整上での開度増大要求に対しダンパ開度の調整で即応しきれなくなる事態を一層確実に防止できる。
【００２９】
なお、ファンを出力調整するには、風量調整ダンパのうち最大開度のものや最小開度のものが目標中間開度範囲からの逸脱している間、その逸脱を解消する側へファンの出力を一定の出力変更速度で変更する調整形態、あるいは、最大開度のものや最小開度のものの目標中間開度範囲からの逸脱量が大きいほど大きい出力変更速度でファンの出力を逸脱解消側へ変更する調整形態など、種々の調整形態を採用でき、後者の調整形態の場合、逸脱量が大きいほど大きい出力変更速度でファンの出力が変更されることにより逸脱の解消が速やかになり、また、逸脱量が小さいほど小さい出力変更速度でファンの出力が変更されることによりオーバーシュート的な現象が防止されて運転が安定化する。
【００３０】
〔４〕請求項４記載の発明では、前記の範囲幅修正に加え、検出開度の平均値が設定目標平均値よりも小さくなると、目標中間開度範囲を大開度側へ範囲移行修正し、かつ、検出開度の平均値が設定目標平均値よりも大きくなると目標中間開度範囲を小開度側へ範囲移行修正することにより、次の機能が得られる。
【００３１】
つまり、前記の範囲幅修正では、目標中間開度範囲の範囲内で風量調整ダンパの開度が全体的に範囲上限側や範囲下限側に偏るのを防止して、風量調整ダンパを全体として風量・圧力調整作用のより良好な状態で通風量調整機能ないし室圧調整機能させることができるが、これら風量調整ダンパの開度の平均値についてまで見た場合、範囲幅修正を実施したとしても、開度のバラツキ具合によっては、その開度平均値がダンパ特性上で最適の風量・圧力調整作用が得られる開度値から多少外れる可能性がある。
【００３２】
これに対し、上記の範囲移行修正を行えば、検出開度の平均値が設定目標平均値よりも小さいと、目標中間開度範囲が大開度側に修正されることにより、この修正された目標中間開度範囲の範囲内に全ての開度を収める上でファンを出力低下側に調整する傾向が生じ、そして、このファンの出力低下に対し通風量や室圧の調整上で各風量調整ダンパを開き側に開度調整して、それら風量調整ダンパの開度平均値を設定目標平均値の側へ戻す傾向が生じる。また、検出開度の平均値が設定目標平均値よりも大きいと、目標中間開度範囲が小開度側に修正されることにより、この修正された目標中間開度範囲の範囲内に全ての開度を収める上でファンを出力上昇側に調整する傾向が生じ、そして、このファンの出力上昇に対し通風量や室圧の調整上で各風量調整ダンパを閉じ側に開度調整して、それら風量調整ダンパの開度平均値を設定目標平均値の側へ戻す傾向が生じる。
【００３３】
したがって、設定目標平均値として、ダンパでの圧力損失なども考慮しながら、感度面及び安定性の面の両方についてダンパ特性上で極力良好な風量・圧力調整作用が得られる開度値を設定しておけば、前記の範囲幅修正のみを行う場合に比べ、風量調整ダンパを平均的に見て一層、風量・圧力調整作用の良好な状態で通風量調整機能ないし室圧調整機能させることができ、これにより、分岐風路の通風量を各々の設定通風量に調整する、又は、対象室の室圧を各々の設定室圧に調整することの調整性能を一層向上させることができる。
【００３４】
また、風量調整ダンパが全体として閉じ側に偏ったままの状態（開度平均値が設定目標平均値よりも小さいままの状態）になるのを一層効果的に抑止できることで、ファン消費動力も一層節減できる。
【００３５】
なお、風量調整ダンパを強制的に全閉にしたり、別途の遮断ダンパを閉じる等で、分岐風路のうち一部のものにおける通風を停止することがある場合には、前記の範囲幅修正と同様、その通風を停止した分岐風路における風量調整ダンパの開度は開度平均値の演算対象から除外し、これにより、通風を停止した分岐風路の影響を受けることなく、残りの分岐風路ついての通風量調整や残りの分岐風路に接続の対象室についての室圧調整において、風量調整ダンパの開度平均値に応じた目標中間開度範囲の範囲移行修正を適切に行えるようにする。
【００３６】
範囲移行修正の具体的修正形態については、目標中間開度範囲の上下限値そのものを検出開度の平均値に応じて変更する形態を採る他、例えば、風量調整ダンパの開度が全て目標中間開度範囲の範囲内にあるか否かの判定に用いる検出開度を、それら検出開度の平均値に応じ補正する等して、実質的に目標中間開度範囲の上下限値を検出開度の平均値に応じ変更するのと等しくする修正形態を採ってもよい。
【００３７】
また、範囲移行修正の具体的修正動作としては、検出開度の平均値と設定目標平均値との偏差に対し修正量（修正方向を含む）を関連付けた修正基準を予め設定しておき、そして、その修正基準に基づき現状の平均値偏差に応じた修正量だけ目標中間開度範囲を範囲移行させる形態、あるいは、検出開度の平均値が設定目標平均値から外れている間、その外れ方向とは反対の方向へ目標中間開度範囲を所定時間毎に所定量づつ、又は、所定速度で連続的に範囲移行させる形態、また場合によっては、検出開度の平均値が設定目標平均値から外れると、その外れ方向とは反対の方向へ目標中間開度範囲を一定修正量だけ範囲移行させる形態など、種々の移行形態を採ることができる。
【００３８】
設定目標平均値は１つの開度値で与える形態、あるいは、適当な範囲幅を有する開度範囲で与える形態のいずれを採ってもよく、設定目標平均値を１つの最適開度値で与える場合には、風量調整ダンパを全体として極力、風量・圧力調整作用の良好な状態で通風量調整機能ないし室圧調整機能させる所期目的をより高度に達成でき、一方、設定目標平均値を適当な範囲幅を有する開度範囲で与える場合には、範囲移行修正の修正頻度を少なくしてその範囲移行修正に伴うファン出力変更やダンパ開度変更の頻度を少なくし、これにより、運転の安定性を高めることができる。
【００３９】
範囲移行修正においては、請求項２記載の発明と同様、目標中間開度範囲の上限値に対する大開度側修正限界の中間開度値と、下限値に対する小開度側修正限界の中間開度値とを規定し、これにより、全開や全開に近い開度を範囲上限とする状態にまで無制限に範囲移行修正が行われることで、却って、風量調整ダンパ（特に最大開度のもの）が全開近くに偏った状態が許される可能性が生じてしまうことや、全閉や全閉に近い開度を範囲下限とする状態にまで無制限に範囲移行修正が行われることで、却って、風量調整ダンパ（特に最小開度のもの）が閉じ側に大きく偏った状態が許される可能性が生じてしまうことを防止するのが望ましい。
【００４０】
また、範囲移行修正と範囲幅修正の夫々について、目標中間開度範囲の上限値に対する大開度側修正限界の中間開度値と、下限値に対する小開度側修正限界の中間開度値とを規定する場合、両修正に対する大開度側修正限界の中間開度値どうし、及び、小開度側修正限界の中間開度値どうしを一致させ、これにより、両修正に整合性を持たせて運転の安定化を図るのが望ましい。
【００４１】
【発明の実施の形態】
次に本発明の実施の形態を説明する。
【００４２】
図１は複数の対象室１に対する空調システムを示し、２は給気ファンＦｓの吐出側に接続した主給気風路、３は排気ファンＦｒの吸入側に接続した主排気風路であり、各対象室１は給気側の分岐風路２ａを介して主給気風路２に接続するとともに、排気側の分岐風路３ａを介して主排気風路３に接続してある。また、４は対象室１への供給空気を温湿度調整する空調機である。
【００４３】
Ｖｓは給気側の各分岐風路２ａに介装した給気側の風量調整ダンパであり、これら給気側風量調整ダンパＶｓの開度調整により各対象室１に対する給気量ｑｓを調整する。
【００４４】
また、Ｖｒは排気側の各分岐風路３ａに介装した排気側の風量調整ダンパであり、これら排気側風量調整ダンパＶｒの開度調整により各対象室１からの排気量ｑｒを調整することで各対象室１の室圧ｐ（具体的には室内外の差圧）を調整する。
【００４５】
５Ａは給気側風量調整ダンパＶｓに対するダンパ制御手段としての給気側ダンパ制御器であり、これら給気側ダンパ制御器５Ａは、各対象室１への給気量ｑｓ（換言すれば、給気側分岐風路２ａの通風量）が統括制御器ＣＣによる設定給気量ｑｓｓ（設定通風量）になるように、給気量センサ６による検出給気量ｑｓに基づき給気側風量調整ダンパＶｓを開度調整する。
【００４６】
５Ｂは排気側風量調整ダンパＶｒに対するダンパ制御手段としての排気側ダンパ制御器であり、これら排気側ダンパ制御器５Ｂは、各対象室１の室圧ｐが統括制御器ＣＣによる設定室圧ｐｓになるように、室圧センサ７による検出室圧ｐに基づき排気側風量調整ダンパＶｒを開度調整する。
【００４７】
給気ファンＦｓに対しては、圧力センサ８ａによる検出風路圧ｆｓに基づき、主給気風路２の風路圧ｆｓが設定風路圧ｆｓｓになるように、インバータ制御をもって給気ファンＦｓを出力調整する給気ファン制御器９Ａを設けてあり、これに対し、統括制御器ＣＣには、給気側風量調整ダンパＶｓ夫々の検出開度ａ１〜ａ３に基づき、図２に示す如く、これら給気側風量調整ダンパＶｓの開度ａ１〜ａ３が全て、上下限値ｘ１，ｘ２ともに中間開度値に設定してある給気側の目標中間開度範囲Ｘの範囲内になるように、給気側の上記設定風路圧ｆｓｓを変更する給気側の風路圧調整部１０Ａを設けてある。
【００４８】
また、排気ファンＦｒに対しては、圧力センサ８ｂによる検出風路圧ｆｒに基づき、主排気風路３の風路圧ｆｒが設定風路圧ｆｒｓになるように、インバータ制御をもって給気ファンＦｒを出力調整する排気ファン制御器９Ｂを設けてあり、これに対し、統括制御器ＣＣには、給気側と同様（図２参照）、排気側風量調整ダンパＶｒ夫々の検出開度ｂ１〜ｂ３に基づき、これら排気側風量調整ダンパＶｒの開度ｂ１〜ｂ３が全て、上下限値ｙ１，ｙ２ともに中間開度値に設定してある排気側の目標中間開度範囲Ｙの範囲内になるように、排気側の上記設定風路圧ｆｒｓを変更する排気側の風路圧調整部１０Ｂを設けてある。
【００４９】
つまり、給気ファン制御器９Ａと給気側の風路圧調整部１０Ａとは、給気側風量調整ダンパＶｓ夫々の検出開度ａ１〜ａ３に基づき、これら給気側風量調整ダンパＶｓの開度ａ１〜ａ３が全て上記給気側の目標中間開度範囲Ｘの範囲内になるように給気ファンＦｓを出力調整する給気側のファン制御手段を構成し、また、排気ファン制御器９Ｂと排気側の風路圧調整部１０Ｂとは、排気側風量調整ダンパＶｒ夫々の検出開度ｂ１〜ｂ３に基づき、これら排気側風量調整ダンパＶｒの開度ｂ１〜ｂ３が全て上記排気側の目標中間開度範囲Ｙの範囲内になるように排気ファンＦｒを出力調整する排気側のファン制御手段を構成する。
【００５０】
給気側の風路圧調整部１０Ａは、具体的には次の（イ）〜（ハ）の形態で主給気風路２の設定風路圧ｆｓｓを変更する構成にしてある。
【００５１】
（イ）給気側風量調整ダンパＶｓの検出開度ａ１〜ａ３のうち最大のものが給気側の目標中間開度範囲Ｘを大開度側に逸脱しているとき、それら給気側風量調整ダンパＶｓの検出開度ａ１〜ａ３のうち最小のものが給気側の目標中間開度範囲Ｘを小開度側に逸脱しているか否かにかかわらず、主給気風路２の設定風路圧ｆｓｓを上昇側に変更する。
【００５２】
すなわち、この設定風路圧ｆｓｓの上昇側への変更により給気ファンＦｓを出力上昇側に調整させて、この出力調整に対し給気量ｑｓの調整上で給気側風量調整ダンパＶｓの夫々が閉じ側に開度調整されるようにし、これにより、大開度側への逸脱を解消する。
【００５３】
また、この際、検出開度ａ１〜ａ３のうち最大のものについて給気側の目標中間開度範囲Ｘからの逸脱量が大きいほど大きい変更速度で主給気風路２の設定風路圧ｆｓｓを上昇側に変更して、上記最大のものの逸脱量が大きいほど大きい出力変化速度で給気ファンＦｓの出力を上昇させる。
【００５４】
（ロ）給気側風量調整ダンパＶｓの検出開度ａ１〜ａ３のうち最大のものが給気側の目標中間開度範囲Ｘの範囲内にある状態で、それら給気側風量調整ダンパＶｓの検出開度ａ１〜ａ３のうち最小のものが給気側の目標中間開度範囲Ｘを小開度側に逸脱しているとき、主給気風路２の設定風路圧ｆｓｓを低下側に変更する。
【００５５】
すなわち、この設定風路圧ｆｓｓの低下側への変更により給気ファンＦｓを出力低下側に調整させて、この出力調整に対し給気量ｑｓの調整上で給気側風量調整ダンパＶｓの夫々が開き側に開度調整されるようにし、これにより、小開度側への逸脱を解消する。
【００５６】
また、この際、検出開度ａ１〜ａ３のうち最小のものについて給気側の目標中間開度範囲Ｘからの逸脱量が大きいほど大きい変更速度で主給気風路２の設定風路圧ｆｓｓを低下側に変更して、上記最小のものの逸脱量が大きいほど大きい出力変化速度で給気ファンＦｓの出力を低下させる。
【００５７】
（ハ）給気側風量調整ダンパＶｓの検出開度ａ１〜ａ３が全て給気側の目標中間開度範囲Ｘの範囲内にあるとき（図２に示す状態）、主給気風路２の設定風路圧ｆｓｓを現状値に維持する。
【００５８】
すなわち、これにより給気ファンＦｓをその時の出力に維持して、給気側風量調整ダンパＶｓの開度ａ１〜ａ３が全て給気側の目標中間開度範囲Ｘの範囲内にある現状を保つようにする。
【００５９】
一方、排気側の風路圧調整部１０Ｂは、給気側の風路圧調整部１０Ａと同様、具体的には次の（ニ）〜（ヘ）の形態で主排気風路３の設定風路圧ｆｒｓを変更する構成にしてある。
【００６０】
（ニ）排気側風量調整ダンパＶｒの検出開度ｂ１〜ｂ３のうち最大のものが排気側の目標中間開度範囲Ｙを大開度側に逸脱しているとき、それら排気側風量調整ダンパＶｒの検出開度ｂ１〜ｂ３のうち最小のものが排気側の目標中間開度範囲Ｙを小開度側に逸脱しているか否かにかかわらず、主排気風路３の設定風路圧ｆｒｓを低下側に変更する。
【００６１】
すなわち、この設定風路圧ｆｒｓの低下側への変更により排気ファンＦｒを出力上昇側に調整させて、この出力調整に対し室圧ｐの調整上で排気側風量調整ダンパＶｒの夫々が閉じ側に開度調整されるようにし、これにより、大開度側への逸脱を解消する。
【００６２】
また、この際、検出開度ｂ１〜ｂ３のうち最大のものについて排気側の目標中間開度範囲Ｙからの逸脱量が大きいほど大きい変更速度で主排気風路３の設定風路圧ｆｒｓを低下側に変更して、上記最大のものの逸脱量が大きいほど大きい出力変化速度で排気ファンＦｒの出力を上昇させる。
【００６３】
（ホ）排気側風量調整ダンパＶｒの検出開度ｂ１〜ｂ３のうち最大のものが排気側の目標中間開度範囲Ｙの範囲内にある状態で、それら排気側風量調整ダンパＶｒの検出開度ｂ１〜ｂ３のうち最小のものが排気側の目標中間開度範囲Ｙを小開度側に逸脱しているとき、主排気風路３の設定風路圧ｆｒｓを上昇側に変更する。
【００６４】
すなわち、この設定風路圧ｆｒｓの上昇側への変更により排気ファンＦｒを出力低下側に調整させて、この出力調整に対し室圧ｐの調整上で排気側風量調整ダンパＶｒの夫々が開き側に開度調整されるようにし、これにより、小開度側への逸脱を解消する。
【００６５】
また、この際、検出開度ｂ１〜ｂ３のうち最小のものについて排気側の目標中間開度範囲Ｙからの逸脱量が大きいほど大きい変更速度で主排気風路３の設定風路圧ｆｒｓを上昇側に変更して、上記最小のものの逸脱量が大きいほど大きい出力変化速度で排気ファンＦｒの出力を低下させる。
【００６６】
（へ）排気側風量調整ダンパＶｒの検出開度ｂ１〜ｂ３が全て排気側の目標中間開度範囲Ｙの範囲内にあるとき（図２に示す状態）、主排気風路３の設定風路圧ｆｒｓを現状値に維持する。
【００６７】
すなわち、これにより排気ファンＦｒをその時の出力に維持して、排気側風量調整ダンパＶｒの開度ｂ１〜ｂ３が全て排気側の目標中間開度範囲Ｙの範囲内にある現状を保つようにする。
【００６８】
統括制御器ＣＣには、上記の風路圧調整部１０Ａ，１０Ｂに加え、給気側の目標範囲修正手段として給気側の目標中間開度範囲Ｘを自動修正する給気側範囲修正部１１Ａを設けてあり、この給気側範囲修正部１１Ａは、給気側風量調整ダンパＶｓ夫々の検出開度ａ１〜ａ３に基づき次の（Ａ），（Ｂ）の修正を実行する構成にしてある。
【００６９】
（Ａ）給気側の範囲移行修正：給気側風量調整ダンパＶｓについての検出開度ａ１〜ａ３の平均値Ｈａ（＝（ａ１＋ａ２＋ａ３）／３）が設定目標平均値Ｈａｓよりも小さくなると、開度平均値Ｈａと設定目標平均値Ｈａｓとの偏差ΔＨａに対し修正量Δｘ（修正方向を含む）を予め関連付けてある修正基準に基づき、現状の平均値偏差ΔＨａに応じた修正量Δｘだけ、給気側の目標中間開度範囲Ｘを図３に示す如く大開度側に範囲移行修正する。
【００７０】
すなわち、この修正により、その修正された給気側の目標中間開度範囲Ｘの範囲内に全ての給気側風量調整ダンパＶｓの開度ａ１〜ａ３を収める上で給気ファンＦｓを出力低下側に調整する傾向を生じさせ、これに対し給気量ｑｓの調整上で各給気側風量調整ダンパＶｓを開き側に開度調整して、これら給気側風量調整ダンパＶｓの開度ａ１〜ａ３の平均値Ｈａを設定目標平均値Ｈａｓの側へ戻す傾向を生じさせる。
【００７１】
また逆に、給気側風量調整ダンパＶｓについての検出開度ａ１〜ａ３の平均値Ｈａが設定目標平均値Ｈａｓよりも大きくなると、上記の修正基準に基づき現状の平均値偏差ΔＨａに応じた修正量Δｘだけ、給気側の目標中間開度範囲Ｘを図４に示す如く小開度側に範囲移行修正する。
【００７２】
すなわち、この修正により、その修正された給気側の目標中間開度範囲Ｘの範囲内に全ての給気側風量調整ダンパＶｓの開度ａ１〜ａ３を収める上で給気ファンＦｓを出力上昇側に調整する傾向を生じさせ、これに対し給気量ｑｓの調整上で各給気側風量調整ダンパＶｓを閉じ側に開度調整して、これら給気側風量調整ダンパＶｓの開度ａ１〜ａ３の平均値Ｈａを設定目標平均値Ｈａｓの側へ戻す傾向を生じさせる。
【００７３】
（Ｂ）給気側の範囲幅修正：給気側風量調整ダンパＶｓの検出開度ａ１〜ａ３のうち最大のものと最小のものとの差Δａ（最大最小開度差）が小さくなるほど、図５に示す如く給気側の目標中間開度範囲Ｘの上限値ｘ１と下限値ｘ２との両方を所定比率（本例では同率）で範囲縮小側に修正し、また逆に、その最大最小開度差Δａが大きくなるほど、図６に示す如く給気側の目標中間開度範囲Ｘの上限値ｘ１と下限値ｘ２との両方を所定比率（同率）で範囲拡大側に修正する。
【００７４】
すなわち、この修正により、給気側風量調整ダンパＶｓの開度ａ１〜ａ３のバラツキ具合の変化による最大最小開度差Δａの変化によらず、給気側の目標中間開度範囲Ｘの範囲幅として、給気側風量調整ダンパＶｓの開度ａ１〜ａ３の全てを収めることが可能で、かつ、それら開度ａ１〜ａ３のうちの最大のものと範囲上限値ｘ１との間の不感開度幅や、それら開度ａ１〜ａ３のうちの最小のものと範囲下限値ｘ２との間の不感開度幅が適度になる適切な範囲幅（本例では最大最小開度差Δａよりも常に一定幅ｅｘだけ大きい範囲幅（Δａ＋ｅｘ））を維持する。
【００７５】
なお、図７は大開度側への範囲移行修正と範囲縮小側への範囲幅修正との両方があった場合を示す。図３〜図７では、風量調整ダンパＶｓ（Ｖｒ）の具体的開度ａ１〜ａ３（ｂ１〜ｂ３）の図示は省略してある。
【００７６】
一方、排気側については、統括制御器ＣＣに、排気側の目標範囲修正手段として排気側の目標中間開度範囲Ｙを自動修正する排気側範囲修正部１１Ｂを設けてあり、この排気側範囲修正部１１Ｂは、排気側風量調整ダンパＶｒ夫々の検出開度ｂ１〜ｂ３に基づき、給気側と同様、次の（Ｃ），（Ｄ）の修正を実行する構成にしてある。
【００７７】
（Ｃ）排気側の範囲移行修正：排気側風量調整ダンパＶｒについての検出開度ｂ１〜ｂ３の平均値Ｈｂ（＝（ｂ１＋ｂ２＋ｂ３）／３）が設定目標平均値Ｈｂｓよりも小さくなると、開度平均値Ｈｂと設定目標平均値Ｈｂｓとの偏差ΔＨｂに対し修正量Δｙ（修正方向を含む）を予め関連付けてある修正基準に基づき、現状の平均値偏差ΔＨｂに応じた修正量Δｙだけ、排気側の目標中間開度範囲Ｙを大開度側に範囲移行修正（図３参照）する。
【００７８】
すなわち、この修正により、その修正された排気側の目標中間開度範囲Ｙの範囲内に全ての排気側風量調整ダンパＶｒの開度ｂ１〜ｂ３を収める上で排気ファンＦｒを出力低下側に調整する傾向を生じさせ、これに対し室圧ｐの調整上で各排気側風量調整ダンパＶｒを開き側に開度調整して、これら排気側風量調整ダンパＶｒの開度ｂ１〜ｂ３の平均値Ｈｂを設定目標平均値Ｈｂｓの側へ戻す傾向を生じさせる。
【００７９】
また逆に、排気側風量調整ダンパＶｒについての検出開度ｂ１〜ｂ３の平均値Ｈｂが設定目標平均値Ｈｂｓよりも大きくなると、上記の修正基準に基づき現状の平均値偏差ΔＨｂに応じた修正量Δｙだけ、排気側の目標中間開度範囲Ｙを小開度側に範囲移行修正（図４参照）する。
【００８０】
すなわち、この修正により、その修正された排気側の目標中間開度範囲Ｙの範囲内に全ての排気側風量調整ダンパＶｒの開度ｂ１〜ｂ３を収める上で排気ファンＦｒを出力上昇側に調整する傾向を生じさせ、これに対し室圧ｐの調整上で各排気側風量調整ダンパＶｒを閉じ側に開度調整して、これら排気側風量調整ダンパＶｒの開度ｂ１〜ｂ３の平均値Ｈｂを設定目標平均値Ｈｂｓの側へ戻す傾向を生じさせる。
【００８１】
（Ｄ）排気側の範囲幅修正：排気側風量調整ダンパＶｒの検出開度ｂ１〜ｂ３のうち最大のものと最小のものとの差Δｂ（最大最小開度差）が小さくなるほど、排気側の目標中間開度範囲Ｙの上限値ｙ１と下限値ｙ２との両方を所定比率（本例では同率）で範囲縮小側に修正（図５参照）し、また逆に、その最大最小開度差Δｂが大きくなるほど、排気側の目標中間開度範囲Ｙの上限値ｙ１と下限値ｙ２との両方を所定比率（同率）で範囲拡大側に修正（図６参照）する。
【００８２】
すなわち、この修正により、排気側風量調整ダンパＶｒの開度ｂ１〜ｂ３のバラツキ具合の変化による最大最小開度差Δｂの変化によらず、排気側の目標中間開度範囲Ｙの範囲幅として、排気側風量調整ダンパＶｒの開度ｂ１〜ｂ３の全てを収めることが可能で、かつ、それら開度ｂ１〜ｂ３のうちの最大のものと範囲上限値ｙ１との間の不感開度幅や、それら開度ｂ１〜ｂ３のうちの最小のものと範囲下限値ｙ２との間の不感開度幅が適度になる適切な範囲幅（本例では最大最小開度差Δｂよりも常に一定幅ｅｙだけ大きい範囲幅（Δｂ＋ｅｙ））を維持する。
【００８３】
上記給気側の範囲移行修正及び範囲幅修正においては、両修正に共通の修正限界値として、給気側の目標中間開度範囲Ｘの上限値ｘ１に対する大開度側修正限界の中間開度値ｘｘ１と、下限値ｘ２に対する小開度側修正限界の中間開度値ｘｘ２とを規定してあり、これにより、範囲上限値ｘ１が大開度側修正限界の中間開度値ｘｘ１を大開度側に越える範囲移行修正や範囲拡大側への範囲幅修正、並びに、範囲下限値ｘ２が小開度側修正限界の中間開度値ｘｘ２を小開度側に越える範囲移行修正や範囲拡大側への範囲幅修正は実施しないようにしてある。
【００８４】
また同様に、排気側の範囲移行修正及び範囲幅修正においては、両修正に共通の修正限界値として、排気側の目標中間開度範囲Ｙの上限値ｙ１に対する大開度側修正限界の中間開度値ｙｙ１と、下限値ｙ２に対する小開度側修正限界の中間開度値ｙｙ２とを規定し、範囲上限値ｙ１が大開度側修正限界の中間開度値ｙｙ１を大開度側に越える範囲移行修正や範囲拡大側への範囲幅修正、並びに、範囲下限値ｙ２が小開度側修正限界の中間開度値ｙｙ２を小開度側に越える範囲移行修正や範囲拡大側への範囲幅修正は実施しないようにしてある。
【００８５】
なお、本例の空調システムでは、給気側風量調整ダンパＶｓと排気側風量調整ダンパＶｒとの強制的全閉操作、並びに、給気側及び排気側分岐風路２ａ，３ａに介装した遮断ダンパＤｓ，Ｄｒの閉じ操作により、一部の対象室１に対する給排気を選択的に停止できるようにしてあり、また、この際、給排気を停止した対象室１に対する給気側風量調整ダンパＶｓの開度、及び、排気側風量調整ダンパＶｒの開度は、目標中間開度範囲Ｘ，Ｙの範囲内にあるか否かの判定対象、範囲移行修正における開度平均値Ｈａ，Ｈｂの演算対象、範囲幅修正における最大最小開度差Δａ，Δｂの演算対象から除外して、ファンＦｓ，Ｆｒの出力調整、範囲移行修正、並びに、範囲幅修正を実行する構成にしてある。
【００８６】
〔別の実施形態〕
次に本発明の別の実施形態を説明する。
【００８７】
前述の実施形態では、給気側風量調整ダンパＶｓの開度調整により各給気側分岐風路２ａの通風量ｑｓ（対象室１に対する給気量）を設定通風量ｑｓｓに調整し、かつ、排気側風量調整ダンパＶｒの開度調整により各対象室１の室圧ｐを設定室圧ｐｓに調整する例を示したが、逆に、排気側風量調整ダンパＶｒの開度調整により各排気側分岐風路３ａの通風量ｑｒ（対象室１からの排気量）を設定通風量ｑｒｓに調整し、かつ、給気側風量調整ダンパＶｓの開度調整により各対象室１の室圧ｐを設定室圧ｐｓに調整するシステムにおいて、本発明を適用してもよい。
【００８８】
また、室圧調整は実施せず、給気側風量調整ダンパＶｓの開度調整により各給気側分岐風路２ａの通風量ｑｓを設定通風量ｑｓｓに調整することと、排気側風量調整ダンパＶｒの開度調整により各排気側分岐風路３ａの通風量ｑｒを設定通風量ｑｓｓに調整することとのいずれか一方、又は、両方を実施するシステムにおいて、本発明を適用してもよい。
【００８９】
さらにまた、給気側風量調整ダンパＶｓの開度調整により各対象室１の室圧ｐを設定室圧ｐｓに調整するだけのシステムや、排気側風量調整ダンパＶｒの開度調整により各対象室１の室圧ｐを設定室圧ｐｓに調整するだけのシステムにおいて、本発明を適用してもよい。
【００９０】
対象室１はどのような用途のものであってもよく、また、室圧調整の目的や通風量調整の目的もどのようなものであってもよい。
【図面の簡単な説明】
【図１】空調システムの全体構成図
【図２】風路圧（ファン出力）の調整形態を説明する図
【図３】範囲移行修正の修正形態を説明する図
【図４】範囲移行修正の修正形態を説明する図
【図５】範囲幅修正の修正形態を説明する図
【図６】範囲幅修正の修正形態を説明する図
【図７】範囲移行修正と範囲幅修正との複合修正を示す図
【符号の説明】
１                    対象室
２，３                主風路
２ａ，３ａ            分岐風路
５Ａ，５Ｂ            ダンパ制御手段
９Ａ，１０Ａ          ファン制御手段
９Ｂ，１０Ｂ          ファン制御手段
１１Ａ，１１Ｂ        目標範囲修正手段
Ｆｓ，Ｆｒ            ファン
Ｖｓ，Ｖｒ            風量調整ダンパ
ｑｓ                  通風量
ｑｓｓ                設定通風量
ｐ                    室圧
ｐｓ                  設定室圧
ａ１〜ａ３            開度
ｂ１〜ｂ３            開度
Ｈａ，Ｈｂ            開度平均値
Ｈａｓ，Ｈｂｓ        設定目標平均値
Δａ，Δｂ            最大最小開度差
Ｘ，Ｙ                目標中間開度範囲
ｘ１，ｙ１            上限値
ｘｘ１，ｙｙ１        大開度側修正限界の中間開度値
ｘ２，ｙ２            下限値
ｘｘ２，ｙｙ２        小開度側修正限界の中間開度値
【図１】
0003789623.tif 000002
【図２】
0003789623.tif 000003
【図３】
0003789623.tif 000004
【図４】
0003789623.tif 000005
【図５】
0003789623.tif 000006
【図６】
0003789623.tif 000007
【図７】
0003789623.tif 000008